(57)【要約】【課題】充電台の下面に移動用車輪を設けることで、持ち運び自在の充電式掃除機を床移動型と同様に使用可能とし、使い勝手を良好にすること。【解決手段】充電台の下面に移動用車輪を取り付ける。また、掃除機本体が載置部の所定状態で載置されたときに掃除機本体を充電台に固定する固定装置と、固定装置により掃除機本体が充電台に固定されたときに、充電台の充電制御回路と掃除機本体の充電電池とが接続可能に構成された電気的接合装置とを設ける。【選択図】　　　　図４
2004141411.tif 000002
【特許請求の範囲】
【請求項１】
ファンモータ、吸引ファン、充電電池を内蔵した掃除機本体と、掃除機本体を載置する載置部、充電電池を充電するための充電制御回路を備えた充電台と、充電台の下面に取り付けられた移動用車輪と、掃除機本体が載置部の所定状態で載置されたときに掃除機本体を充電台に固定する固定装置と、固定装置により掃除機本体が充電台に固定されたときに、充電台の充電制御回路と掃除機本体の充電電池とが接続可能に構成された電気的接合装置とを備えてなる充電式掃除機。
【請求項２】
前記固定装置は、掃除機本体を充電台の載置部の所定位置に載置したときに自動的にロックされ、掃除機本体に設けられたロック解除レバーによりロックを解除できるように構成されてなる請求項１記載の充電式掃除機。
【請求項３】
前記充電台は、後部に延長パイプを固定するための垂直壁部を備えてなる請求項１記載の充電式掃除機。
【請求項４】
前記充電台は、充電用の電源コードを有し、この電源コードが着脱自在に取り付けられてなる請求項１〜３の何れか１項記載の充電式掃除機。
【発明の詳細な説明】
【０００１】
【発明の属する技術分野】
本発明は、充電式掃除機に関し、主には充電式掃除機の充電台の改良に関する。
【０００２】
【従来の技術】
従来の充電式掃除機では、例えば特許文献１に記載のように、充電台は、移動用の車輪が取り付けられておらず、固定して使用されるように構成されていた。
【０００３】
【特許文献１】
特開平３−３０９５６号公報
【特許文献２】
特開平１０−８０３８２号公報
【０００４】
【発明が解決しようとする課題】
従来の充電台は上記のように固定式に構成されているため、掃除機本体を充電台に載せた状態で移動させるときは、掃除機本体を充電台に載せた状態のまま持ち上げる必要があり、使い勝手が悪かった。
例えば、充電式掃除機を長時間使用する場合には充電の必要が生じるが、上記のように充電台が固定式であるため、充電しながら使用することができなかった。
また、充電式掃除機は、一般的には狭い場所や、電源設備のない場所や、電源コードの使用が不便な場所などに用いて便利であるためハンディタイプに形成されているが、長時間の使用の場合には使用者の腕に大きな負担がかかる。このため掃除機本体を手で持ちながらではなく、床移動型掃除機と同様に使用したいと思っても、そのように使用することができなかった。
【０００５】
本発明は、このような従来技術の問題点を解決するもので、充電台の下面に移動用車輪を設けることで、持ち運び自在の充電式掃除機を床移動型と同様に使用可能とし、使い勝手を良好にすることにある。
【０００６】
【課題を解決するための手段】
上記課題を解決するために、本発明に係る充電式掃除機は、ファンモータ、吸引ファン、充電電池を内蔵した掃除機本体と、掃除機本体を載置する載置部、充電電池を充電するための充電制御回路を備えた充電台と、充電台の下面に取り付けられた移動用車輪と、掃除機本体が載置部の所定状態で載置されたときに掃除機本体を充電台に固定する固定装置と、固定装置により掃除機本体が充電台に固定されたときに、充電台の充電制御回路と掃除機本体の充電電池とが接続可能に構成された電気的接合装置とを備えたものである。
【０００７】
このように構成することにより、掃除機本体を充電台の載置部に載置して固定することにより床移動型掃除機と同様に使用することができる。したがって、本発明による充電式掃除機は、ハンディタイプの充電式掃除機として、また、掃除機の保持、移動が楽な床移動型掃除機として適宜使い分けできる。
【０００８】
また、前記固定装置は、掃除機本体を充電台の載置部の所定位置に載置したときに自動的にロックされ、掃除機本体の把手部に設けられたロック解除レバーによりロックを解除できるように構成されたものとしてもよい。
このように構成すると、掃除機本体に設けられたロック解除レバーにより固定装置のロック及び解除を片手で行うことができ、掃除機本体を充電台に載置したり、充電台から取り外すときの作業がより一層容易化される。
【０００９】
また、前記充電台は、後部に延長パイプを固定する垂直壁部を備えたものとしてもよい。
このように構成すると、掃除機本体に充電するとき及び保管するときに延長パイプ、吸引ホース、床用吸込具などを取り付けたまま整然と保持することができる。
【００１０】
また、前記充電台は、充電用の電源コードを有し、この電源コードが着脱自在に取り付けられていてもよい。
このように構成すると、電源コードの使用できない場所で電源コードを外して使用することができ、使い勝手がより一層向上する。
【００１１】
【発明の実施の形態】
以下、本発明を具体化した実施の形態につき図面に基づいて説明する。図１は本実施の形態に係る充電式掃除機を充電台に載置して保管するときの側面図である。図２は同充電式掃除機を充電台に載置して使用するときの側面図である。図３は同充電式掃除機に係る要部拡大図であって、固定装置がロックされている状態を示す。図４は同充電式掃除機に係る要部拡大図であって、固定装置のロックが解除される状態を示す。図５は、図３におけるＶ−Ｖ断面図である。図６は、図３の状態における充電式掃除機の要部背面図である。図７は、同充電式掃除機に係る充電台の上面図である。図８は、同充電台の底面図である。図９は、同充電式掃除機に係る掃除機本体の側面図である。図１０は、同充電式掃除機に係る掃除機本体の上面図である。図１１は、同充電式掃除機に係る掃除機本体の底面図である。なお、本明細書において充電式掃除機の前面は図１における左側を意味する。
【００１２】
本実施の形態に係る充電式掃除機は、掃除機本体１、掃除機本体１を載置部２ａに載置する充電台２、掃除機本体１の前面のホース接続口１ａに差し込まれた吸引ホース３、吸引ホース３に接続された集塵装置４、集塵装置４を取り付けているグリップ５、集塵装置４に接続された延長パイプ６、延長パイプ６の先端に接続された床用吸込具７などを備えている。
【００１３】
掃除機本体１は、本体ケーシング１１の前面にホース接続口１ａを有し、後部に排気口１１ａを有する。また、掃除機本体１は、ホース接続口１ａに連結された吸塵部１２、吸塵部１２に連結された、ファンモータ１３及び吸引ファン１４を収納した収納室１５を有し、収納室１５に連通する風路１６を備えている。なお、排気口１１ａはこの風路に連通している。また、掃除機本体１は、本体ケーシング１１の上部に下部材２１と上部材２２とからなる把手部２０が形成されている。
【００１４】
把手部２０は、下部材２１の前面側の曲線部に、前部が下方になり後部が上方になる円弧状のロック解除レバー２３が設けられている。ロック解除レバー２３は、断面が上方を開口部とする略コの字状を成し、前部が下部材２１の前端下部に形成された支点で回転自在に支持され、後部が板ばね２４により下方に付勢されて下部材２１の下方に突出するように取り付けられている。
【００１５】
また、図３、図４及び図５に示されるように、ロック解除レバー２３の前部には、回動自在に支持されたリンク２５が設けられている。更に、本体ケーシング１１の前面板から本体ケーシング１１内へ突出する支持部材２６が設けられ、この支持部材２６の下方に略Ｌ字形に曲がったフック２７が回転自在に設けられている。フック２７は、Ｌ字型の水平部の先端に充電台２と係合する鍵型の係合部２７ａが形成されている。また、この係合部２７ａは、本体ケーシング１１内に設けられたコイルバネ２８により前方に付勢され、本体ケーシング１１の前面板に形成された穴部から本体ケーシング１１の前方に突出するように構成されている。また、フック２７の上部の後端部と前記リンク２５の下端部とが回動自在に連結されている。
【００１６】
また、掃除機本体１は、本体ケーシング１１の下部に充電電池３１を備えている。また、掃除機本体１は、後部底面部に凹状電気接合部３２を備えている。この凹状電気接合部３２は、本体ケーシング１１の底面部を凹部に形成し、この凹部内に充電電池３１の充電端子３４を露出させたものである。
【００１７】
充電台２は、上下に２分割されたケース４１内に充電制御回路４２が内蔵されている。また、充電台２は、前部及び左右側部の周辺部に立ち上げ周壁部２ｂが形成されている。また、周壁部２ｂに取り囲まれる上面部を平坦面に形成して、掃除機本体１を載置する載置部２ａとして形成されている。なお、周壁部２ｂは、掃除機本体１を載置部２ａの所定位置に載置することを容易にするガイドを兼用している。
【００１８】
載置部２ａの後部には載置部２ａから上方に突出した凸状電気接合部４３が設けられている（図３、図４、図７参照）。この凸状電気接合部４３は、掃除機本体の凹状電気接合部３２に嵌合するように構成され、掃除機本体１を載置部２ａの所定位置に載置したときに凹状電気接合部３２と凸状電気接合部４３とが嵌め合わされるように構成されている。また、凸状電気接合部４３内には充電制御回路４２に接続されている充電接片４４が収納されており、凹状電気接合部３２と凸状電気接合部４３とが嵌め合わされたときに、凹状電気接合部３２内に突出している充電端子３４が凸状電気接合部４３内の充電接片４４と接合するように形成されている。
【００１９】
なお、本発明に係る固定装置は、前述の充電台２の周壁部２ｂ、周壁部２ｂの前部に形成された係合穴４７、充電台２の後部に形成された凸状電気接合部４３、掃除機本体１の下面に形成された凹状電気接合部３２、掃除機本体１に組み込まれたロック解除レバー２３、板バネ２４、リンク２５、支持部材２６、フック２７、コイルバネ２８などにより構成される。そして、上記のように構成されることにより、掃除機本体１が充電台２の載置部２ａの所定位置に載置されたときに自動的に係合部２７ａが充電台２の係合穴４７に係合するように構成されている。また、前述のようにロック解除レバー２３を引き上げることにより固定装置のロックが解除される。
また、本発明に係る電気的接合装置は、上記のように、凹状電気接合部３２、充電接片４４、凸状電気接合部４３、充電接片４４などにより構成されており、掃除機本体１を載置部２ａの所定位置に載置することにより、掃除機本体１に内蔵された充電電池３１と充電台２の充電制御回路４２とが自動的に接続される。
【００２０】
充電台２の後端部には、周壁部２ｂに連続して垂直壁部５１が形成されている（図４、図６参照）。この垂直壁部５１は、掃除機本体１を載置部２ａに際した状態の掃除機本体の上部と同程度の高さまで上方に立ち上げられ、前後方向に一定の厚みを有するように形成されている。また、垂直壁部５１の上部には、延長パイプ６に取り付けられたフック５３を係合させる係合穴部５４が形成されている（図７参照）。延長パイプ６に取り付けられたフック５３の下端部をこの係合穴部５４に挿入することにより、床用吸込具７を先端に取り付けた状態で延長パイプ６が垂直方向に支持される。
【００２１】
また、充電台２の側面には電源コードを接続するためのコンセント６１が設けられている。したがって、電源コード６２は、電源コード６２の先端部に取り付けられたソケット６３を充電台２のコンセント６１に差し込むことにより充電台２に取り付けられている（図７、図８参照）。なお、６４は電源コード６２の他端側に取り付けられた電源側のソケットである。
【００２２】
また、充電台２の下面には移動用車輪が取り付けられている。この移動用車輪は、充電台２の下面前部の中央部に取り付けられた１個のキャスター７１及び充電台２の下面後部の両側に取り付けられた、回転自在の一対のローラー７２とから構成されている（図８参照）。
【００２３】
上記のように構成された本実施の形態の充電式掃除機は、ハンディタイプの掃除機として使用することができる他、床移動型掃除機と同様に使用することもできる。
まず、本実施の形態の充電式掃除機をハンディタイプの掃除機として使用する場合は、図３のように掃除機本体１を充電台２の載置部２ａに載置した状態とし、充電台２の充電制御回路４２を介し充電電池３１に充電する。充電電池３１への充電が完了すると、掃除機本体１の把手部２０の前部を握り、把手部２０の前部に形成されたロック解除レバー２３の後部を上方に引き上げるようにロック解除レバー２３を操作する。ロック解除レバー２３の操作により掃除機本体１のフック２７の先端の係合部２７ａと、充電台２の周壁部２ｂの前部に形成された係合穴４７との係合が解除される（図４参照）。これにより、把手部２０を持って掃除機本体１を上方に持ち上げることができるようになる。このようにして把手部２０を持って掃除機本体１の掃除を行う場所に運ぶ。また、掃除機本体１を片方の手で持ちながら、他方の手でグリップ５を握って掃除を行う。
【００２４】
次に、充電式掃除機を床移動型掃除機と同様に使用する場合は、充電台２の載置部２ａに掃除機本体１を載置する。このとき、掃除機本体１の下面後部に形成された凹状電気接合部３２と充電台２の後部の上面部に形成された凸状電気接合部４３とが嵌合するように掃除機本体１を充電台２の載置部２ａに載置する。このように載置することにより、掃除機本体１が充電台２に固定され、また、掃除機本体１の充電電池３１に充電することが可能になる。なお、充電しながら充電式掃除機を使用する場合は、充電台２のコンセント６１に電源コード６２のソケット６３を差し込み充電台２に電源コード６２を接続する。
電源コード６２を使用しても邪魔にならないような場所の掃除を行うときは、電源コード６２を接続した状態で、また、充電台２の載置部２ａに掃除機本体１を載置した状態で、グリップ５を握って充電式掃除機を移動させながら掃除を行う。
【００２５】
また、充電式掃除機を床移動型掃除機と同様に使用する場合であって、充電台２に電源コード６２を接続した状態で掃除しにくい場合には、充電台２のコンセント６１から電源コード６２を取り外して使用する。この場合もグリップ５を握って充電式掃除機を移動させながら掃除を行うことができる。
【００２６】
本実施の形態に係る充電式掃除機は、上記のように構成されているので次のような効果を奏することができる。
（１）　ファンモータ１３、吸引ファン１４、充電電池３１を内蔵した掃除機本体１と、掃除機本体１を載置する載置部２ａ、充電電池３１を充電するための充電制御回路４２を備えた充電台２と、充電台２の下面に取り付けられた移動用車輪と、掃除機本体１が載置部２ａの所定状態で載置されたときに掃除機本体１を充電台２に固定する固定装置と、固定装置により掃除機本体１が充電台２に固定されたときに、充電台２の充電制御回路４２と掃除機本体１の充電電池３１とが接続可能に構成された電気的接合装置とを備えいるので、掃除機本体１を充電台２から取り外してハンディタイプの充電式掃除機として使用することができるとともに、掃除機本体１を充電台２の載置部２ａに載置して固定することにより床移動型掃除機と同様に使用することができる。したがって、電源コード６２の使用が困難な狭い空間などに対してはハンディタイプの充電式掃除機として、或いは電源コード６２に接続して使用することが可能なスペースに対しては掃除機の保持、移動が楽な床移動型掃除機として適宜使い分けできる。
【００２７】
（２）　移動用車輪を、充電台２の前部に取り付けられたキャスター７１と、充電台２の後部に取り付けた回転自在のローラー７２とから構成しているので、床移動型掃除機と同様に使用する場合の回転、前進、後退を自由自在に行うことができ、床上の移動が容易になる。
【００２８】
（３）　掃除機本体１は上部に把手部２０を有するとともに前部にホース接続口１ａを有するように構成され、充電台２は掃除機本体１を充電台２の載置部２ａに載置する場合に掃除機本体１の把手部２０が上部に位置しホース接続口１ａが前方に位置するように構成されているので、掃除機本体１の上部にある把手部２０を把持しながら、掃除機本体１を充電台２に載置したり、充電台２から掃除機本体１を取り外したりすることができる。したがって、掃除機本体１の充電台２への載置、取外し作業が容易になる。また、吸引ホース３が前方に位置するため、充電式掃除機を床移動型掃除機と同様に使用する場合に使い勝手が良くなる。
【００２９】
（４）　固定装置は、掃除機本体１を充電台２の載置部２ａの所定位置に載置したときに自動的にロックされ、掃除機本体１の把手部２０に設けられたロック解除レバー２３によりロックを解除するように構成されているので、掃除機本体１の把手部２０に設けられたロック解除レバー２３により固定装置のロック及び解除を片手で行うことができる。したがって、掃除機本体１を充電台２に載置したり、充電台２から取り外すときの作業がより一層容易化される。
【００３０】
（５）　充電台２は、後部に延長パイプ６を固定する垂直壁部５１を備えているので、掃除機本体１に充電するとき及び保管するときに延長パイプ６、吸引ホース３、床用吸込具７などを取り付けたまま整然と保持することができる。
【００３１】
（６）　充電台２は、充電用の電源コード６２を有し、この電源コード６２が着脱自在に取り付けられているので、電源コード６２の使用できない場所で電源コード６２を外して使用することができ、使い勝手がより一層向上する。
【００３２】
【発明の効果】
この発明は、以上のように構成されているため、掃除機本体を充電台から取り外してハンディタイプの充電式掃除機として使用することができるとともに、掃除機本体を充電台の載置部に載置して固定することにより床移動型掃除機と同様に使用することができる。したがって、電源コードの使用が困難な狭い空間などに対してはハンディタイプの充電式掃除機として、或いは電源コードに接続して使用することが可能なスペースに対しては掃除機の保持、移動が楽な床移動型掃除機として適宜使い分けできる。
【図面の簡単な説明】
【図１】本実施の形態に係る充電式掃除機を充電台に載置して保管するときの側面図である。
【図２】同充電式掃除機を充電台に載置して使用するときの側面図である。
【図３】同充電式掃除機に係る要部拡大図であって、固定装置がロックされている状態を示す。
【図４】同充電式掃除機に係る要部拡大図であって、固定装置のロックが解除される状態を示す。
【図５】図３におけるＶ−Ｖ断面図である。
【図６】図３の状態における充電式掃除機の要部背面図である。
【図７】同充電式掃除機に係る充電台の上面図である。
【図８】同充電台の底面図である。
【図９】同充電式掃除機に係る掃除機本体の側面図である。
【図１０】同充電式掃除機に係る掃除機本体の上面図である。
【図１１】同充電式掃除機に係る掃除機本体の底面図である。
【符号の説明】
１　　　　　掃除機本体
１ａ　　　ホース接続口
２　　充電台
２ａ　　　載置部
３　　　　　吸引ホース
６　　　　　延長パイプ
１３　　　ファンモータ
１４　　　吸引ファン
２０　　　把手部
２３　　　ロック解除レバー
２４　　　板バネ
２５　　　リンク
２６　　　支持部材
２７　　　フック
２７ａ　係合部
２８　　　コイルバネ
３１　　　充電電池
３２　　　凹状電気接合部
３４　　　充電端子
４２　　　充電制御回路
４３　　　凸状電気接合部
４４　　　充電接片
４７　　　係合穴
５１　　　垂直壁部
５３　　　フック
５４　　　係合穴部
６１　　　コンセント
６２　　　電源コード
６３　　　ソケット
７１　　　キャスター
７２　　　ローラー
【図１】
2004141411.tif 000003
【図２】
2004141411.tif 000004
【図３】
2004141411.tif 000005
【図４】
2004141411.tif 000006
【図５】
2004141411.tif 000007
【図６】
2004141411.tif 000008
【図７】
2004141411.tif 000009
【図８】
2004141411.tif 000010
【図９】
2004141411.tif 000011
【図１０】
2004141411.tif 000012
【図１１】
2004141411.tif 000013